(57)【特許請求の範囲】
【請求項１】
浴槽のフランジ部を受けるため浴槽の周りのフランジ部の高さに対応する浴室位置に設けられる浴槽受け部材であって、上記の浴槽の短幅方向におけるフランジ部を受ける左右一対の短い受け部材と、上記の浴槽の長手方向におけるフランジ部を受ける長い受け部材との計三個でなり、短い受け部材と長い受け部材の端部を重合させて設置時に平面視で略コの字状を呈するよう形成され、この短い受け部材と長い受け部材の重合状に連結される端部に、浴槽載置部材から立ち上げられた支柱の上端に上記の両受け部材の端部をネジ止めするためのネジ孔が形成されていることを特徴とする浴槽受け部材。
【請求項２】
請求項１記載の浴槽受け部材であって、短い受け部材と長い受け部材の連結側の、少なくとも一方の受け部材の端部に、他方の受け部材の端部を重合させるための段差部が形成され、この段差部に他方の受け部材の下面と協働してシーリング剤の充填路を形作る溝が、両受け部材の長手方向と直交する方向にわたって両端開口状に形成されていることを特徴とする浴槽受け部材。
【発明の詳細な説明】
【０００１】
【発明の属する技術分野】
本発明は、浴槽の受け部材に関し、更に詳しくは浴槽、洗い場パン、浴槽用エプロン等と共に浴室ユニットを構成する浴槽受け部材に関するものである。
【０００２】
【従来の技術】
従来この種の受け部材としては、例えば窓枠状に形成したり、平面視で略コの字形に形成したものがある（例えば特開平９ー１１９１５１号公報、特開２０００ー１３６５５６号公報参照）。
【０００３】
【発明が解決しようとする課題】
ところでこの種の浴槽受け部材は、スペースにゆとりがないのが通例である浴室現場において洗い場パン等と組み合わせて施工するものであるから、例えば運搬や施工時に建物の躯体等にぶつけても損壊することがないよう形成されているのが望ましい。
【０００４】
しかるに従来品は、上記の通り、窓枠状やコの字形に形成されていたから、従来品によると、嵩があり、その結果運搬時等において取り扱いが不便であっただけではなく、衝撃を受けると損壊し易く、しかも一旦、亀裂が入ったり一部が欠けると、全体を新品に交換しなければならない、という問題点があった。
【０００５】
その為従来品の中には、例えば平面視で略コの字形に本体を形成し、且つこの本体の開放端同士をリブで繋いで補強する、という構造を採るものもあった（例えば上記の特開２０００ー１３６５５６号公報、図３参照）。しかしながらこの場合は、施工後に補強リブを除去しなければならず、又全体の嵩を小さくできるものではなかった。
【０００６】
又従来品の場合は、上記の通り、窓枠状や、コの字状に形成されていたから、梱包作業に手間暇がかかり、包装材、梱包材の使用量が増加し、又製造用の金型の大型化、大面積化を招き、金型費が増大するのを避けられなかった。
【０００７】
又従来品は、浴槽の幅や長さに合わせて形成され、浴槽ごとの専用品であったから、例えば浴槽の奥行き（短幅方向の長さ）が同じでも、長手方向の長さが異なると、全く対応できないものであった。
【０００８】
本発明は、このような従来品の問題点に鑑み、提案されたものである。
【０００９】
従って本発明の技術的課題は、取り扱いが容易で運搬時、施工時等に衝撃を受けても損壊し難く、又梱包し易いだけではなく、梱包材の使用量を節減でき、金型費を低廉化できるだけではなく、サイズの異なる浴槽にも柔軟に対応できるよう形成した浴槽受け部材を提供することにある。
【００１０】
【課題を解決するための手段】
本発明は、上記の課題を解決するために、次のような技術的手段を採る。
【００１１】
即ち本発明は、図１に示されるように、浴槽１のフランジ部２を受けるため浴槽１の周りのフランジ部２の高さに対応する浴室位置に設けられる浴槽受け部材であって、上記の浴槽１の短幅方向におけるフランジ部２ａを受ける左右一対の短い受け部材３と、上記の浴槽１の長手方向におけるフランジ部２ｂを受ける長い受け部材４との計三個でなり、短い受け部材３と長い受け部材４の端部を重合させて設置時に平面視で略コの字状を呈するよう形成され、この短い受け部材３と長い受け部材４の重合状に連結される端部に、浴槽載置部材１１から立ち上げられた支柱６の上端に上記の両受け部材３、４の端部をネジ止めするためのネジ孔３４、４４が形成されていることを特徴とする（請求項１）。
【００１２】
ここで、浴槽１の周り、とは、洗い場側の一辺を除いた浴槽１の三辺の周りを意味する。又浴槽１の短幅方向とは、浴槽１の幅の短い奥行き方向、換言すると浴槽１の長手方向と直交する方向を意味する。
【００１３】
又本発明の場合、短い受け部材３と長い受け部材４の形態は、浴槽１の形状や、浴槽１とその周りの浴室壁面までのスペース状態等に応じて適宜選定されるので良い。
【００１４】
又本発明は、図６、図７に示されるように、短い受け部材３と長い受け部材４の連結側の、少なくとも一方の受け部材３、４の端部に、他方の受け部材３、４の端部を重合させるための段差部７を形成し、この段差部７に他方の受け部材３、４の下面と協働してシーリング剤の充填路８を形作る溝７ａを、両受け部材３、４の長手方向と直交する方向にわたって両端開口状に形成するのが好ましい（請求項２）。
【００１５】
なぜならこの場合は、両受け部材３、４の連結位置を簡単且つ確実に防水処理できるからである。又これによれば、シーリング剤の塗り方の巧拙に関係なく、一定品質の水密性を確保でき、更にはシーリング剤を必要以上塗布することを防止でき、シーリング剤の使用量を節減できるからである。
【００１６】
ここで、少なくとも一方の受け部材３、４の端部に、とは、段差部７を受け部材３、４の両方に形成しても良い、ということを意味する。なお段差部７は、短い受け部材３と長い受け部材４の上面を面一にさせるよう、深さが選定されるのが良い。
【００１７】
【発明の実施の形態】
以下、本発明の好適な一実施形態を添付図面に従って説明する。
【００１８】
図１等において、１は浴槽であり、２はこの浴槽１のフランジ部である。本発明品は、浴槽１のフランジ部２を受けるため浴槽１の周りの、フランジ部２の高さに対応する浴室位置に設けられるものである。
【００１９】
３は、浴槽１の短幅方向におけるフランジ部２ａを受ける短い受け部材である。又４は、浴槽１の長手方向におけるフランジ部２ｂを受ける長い受け部材であり、本発明品はこの長い受け部材４と上記の短い受け部材３とで形成されている。
【００２０】
而して本発明品は、図示されるように、左右一対の短い受け部材３と、洗い場パン５から離れた側の、浴槽１の長手方向のフランジ部２ｂを受ける長い受け部材４との計三個でなり、設置時に平面視で略コの字状を呈するよう形成されている。
【００２１】
上記の短い受け部材３は、この実施形態ではガラス繊維と熱硬化性樹脂を予め混ぜ合わせたシートモールディングコンパウンド（Sheet Molding Compound）によるプレス成形品であり、その一端に、浴槽１のフランジ部２のコーナーを受けるコーナー受け部３ａを一体状に有して平面視で略折れ釘形状に形成されている。
【００２２】
又上記の長い受け部材４は、この実施形態では真直状に形成され、短い受け部材３と両端が結合されるものである。この長い受け部材４は、ＦＲＰ（fiber reinforced plastics、繊維強化プラスチック）を例えば押出し成形することで形成される。
【００２３】
又上記の短い受け部材３と、長い受け部材４は、図示されるように、浴槽１のフランジ部２と係合する凹溝部３１、４１と、フランジ部２を越えて流れ出る水を返すための立ち上がり部３２、４２とを備えて形成されている。又各受け部材３、４の下面には、歪み等の防止や、支柱６との係合操作を容易化するためのリブ片３３、４３が長手方向に延びて形成されている。
【００２４】
又この実施形態では、図６、図７に示されるように、短い受け部材３の端部に、長い受け部材４の端部を重合させるための段差部７が形成されている。この段差部７には、長い受け部材４の下面と協働してシーリング剤の充填路８を形作る溝７ａが、両受け部材３、４の長手方向と直交する方向にわたって両端開口状に形成されている。又段差部７は、短い受け部材３と長い受け部材４の上面が連結時に面一になるよう、例えば長い受け部材４の厚さ分だけ立ち下げられている。なお９（図７参照）は、シーリング剤の注入容器である。
【００２５】
又短い受け部材３と、長い受け部材４の連結される端部には、上記の支柱６の上端に、両受け部材３、４の端部をネジ止めするためのネジ孔３４、４４が形成されている。１０は、止めネジである。なお、１１は浴槽載置部材としての浴槽載置架台である。上記の支柱６は、この浴槽載置部材１１としての浴槽載置架台から立ち上げられている。又１２は浴槽用エプロンであり、１３（図１参照）は洗い場カウンターである。
【００２６】
本発明品は、上記の支柱６等を利用して、浴槽１の周りのフランジ部２の高さに対応する浴室位置に、洗い場パン５等と一緒に設けられるものである。具体的には、先ず作業者は、上記のネジ孔３４、４４を合わせて短い受け部材３と長い受け部材４の端部を重合させ、支柱６の上端に両受け部材３、４の端部を止めネジ１０でネジ止めする。従ってこの実施形態の場合は、両受け部材３、４が一度で支柱６に固定されるものである。
【００２７】
次に作業者は、図７に示されるように、上記の充填路８の一方の開口から、シーリング剤を注入する。そしてシーリング剤が充填路８の他方の開口から確認できたら、充填を停止する。これにより段差部７が水密状にシールドされる。その後、作業者は、図１に示されるように、浴槽１を本発明品の上方から嵌め付け、浴槽載置部材１１としての浴槽載置架台に載置する。
【００２８】
以上の処において、上記の短い受け部材３の構成は、上例には限られず、その他例えば図３に示されるように、真直状に形成された本体部３Ａと、浴槽１のフランジ部２のコーナーを受けるためのコーナー受け部材３Ｂとで形成されるのでも良い。この実施形態の場合は、コーナー受け部材３Ｂを浴槽１の左右のコーナーにおいて共用でき、各種サイズの浴槽１に柔軟に対応できる。
【００２９】
又長い受け部材４は、例えば図４に示されるように、その両端に、浴槽１のフランジ部２のコーナーを受けるためのコーナー支承部４Ａを一体状に有して平面視で略かすがい形状に形成されるのでも良い。更にこの長い受け部材４は、その他図５に示されるように、その一端に、浴槽１のフランジ部２のコーナーを受けるためのコーナー支承部４Ａを一体状に有して平面視で略折れ釘形状に形成されるのでも良い。この場合は、長手方向の長さが同じで、短幅方向の長さが異なる浴槽１に対し、長い受け部材４を共用できる。又この本発明品の場合は、短い受け部材３が同じ真直形態の一種類で済み、従って全体の金型コストの低廉化に役立つ、という利点がある。
【００３０】
【発明の効果】
以上説明したように本発明の浴槽受け部材は、浴槽の短幅方向におけるフランジ部を受ける左右一対の短い受け部材と、浴槽の長手方向におけるフランジ部を受ける長い受け部材との計三個でなり、短い受け部材と長い受け部材の端部を重合させて設置時に平面視で略コの字状を呈するよう形成され、この短い受け部材と長い受け部材の重合状に連結される端部に、浴槽載置部材から立ち上げられた支柱の上端に上記の両受け部材の端部をネジ止めするためのネジ孔が形成されているものである。
【００３１】
従って本発明によれば、嵩が小さくなり、分割されているから、運搬時等の取り扱いが容易になり、運搬や施工時に衝撃を受けても損壊し難く、損壊しても全体を交換する必要がないだけではなく、梱包が容易で梱包材の使用量を節減でき、更には金型費の低廉化を図ることができる。
【００３２】
又本発明の場合は、短い受け部材と長い受け部材とを組み合せて使用することができるから、これによればサイズの異なる浴槽にも柔軟に対応できる、という優れた効果を奏する。
又本発明の場合は、両受け部材の連結状態を堅固にでき、両受け部材を迅速に且つ効率良く支柱に固定できる。
【図面の簡単な説明】
【図１】本発明浴槽受け部材の好適な一実施形態を示す説明用の分解斜視図である。
【図２】図１のIIーII線における要部拡大断面図である。
【図３】同上浴槽受け部材の他の実施形態を示す分解状態の平面図である。
【図４】同上浴槽受け部材の他の実施形態を示す分解状態の平面図である。
【図５】同上浴槽受け部材の他の実施形態を示す分解状態の平面図である。
【図６】短い受け部材と長い受け部材との連結状態を説明するための要部斜視図である。
【図７】短い受け部材と長い受け部材との連結状態を説明するための要部斜視図である。
【符号の説明】
１    浴槽
２    フランジ部
２ａ  浴槽の短幅方向におけるフランジ部
２ｂ  浴槽の長手方向におけるフランジ部
３    短い受け部材
４    長い受け部材
【図１】
0003709804.tif 000002
【図２】
0003709804.tif 000003
【図３】
0003709804.tif 000004
【図４】
0003709804.tif 000005
【図５】
0003709804.tif 000006
【図６】
0003709804.tif 000007
【図７】
0003709804.tif 000008